(57)【要約】【課題】化粧パネルに形成された吸込口と吹出口とが被空調室に露出する天井埋込型空気調和装置において、被空調室に漏れるドレンポンプの運転音を低減する。【解決手段】化粧パネル２１に形成された吸込口２２と吹出口２３とが被空調室に露出する空気調和装置本体１において、天井に埋め込み設置される本体ケース２に、熱交換器１１と、この熱交換器１１から滴下するドレン水を受けるドレンパン５０と、を備え、ドレンパン５０のドレン水を汲み上げるドレンポンプ３２を、本体ケース２の外側に配設される構成とした。【選択図】図１
2009014257.tif 000002
【特許請求の範囲】
【請求項１】
化粧パネルに形成された吸込口と吹出口とが被空調室に露出する天井埋込型空気調和装置において、
天井に埋め込み設置される本体ケースに、熱交換器と、この熱交換器から滴下するドレン水を受けるドレンパンと、を備え、
前記ドレンパンのドレン水を汲み上げるドレンポンプを、前記本体ケースの外側に配設したことを特徴とする天井埋込型空気調和装置。
【請求項２】
請求項１記載の天井埋込型空気調和装置において、前記ドレンパンが、前記熱交換器の下方に位置する水受け部と、この水受け部に連通して前記本体ケースの外側に突出した突出部とを有し、この突出部には前記水受け部に滴下したドレン水が貯留される貯留部が形成され、
前記ドレンポンプの吸込口が、前記貯留部に貯留されたドレン水を汲み上げ可能な位置に配設されたことを特徴とする天井埋込型空気調和装置。
【請求項３】
請求項２記載の天井埋込型空気調和装置において、前記突出部と前記ドレンポンプとが、前記本体ケースの側面に取り付けられたサブケースに収容されたことを特徴とする天井埋込型空気調和装置。
【請求項４】
請求項２または３記載の天井埋込型空気調和装置において、前記突出部が前記ドレンパンと一体に成形されたことを特徴とする天井埋込型空気調和装置。
【発明の詳細な説明】
【技術分野】
【０００１】
本発明は、天井埋込型の空気調和装置に関する。
【背景技術】
【０００２】
従来、化粧パネルに形成された吸込口と吹出口とが被空調室に露出する天井埋込型空気調和装置においては、室内熱交換器から滴下するドレン水を下方で受けるドレンパンが配置され、ドレンパンに貯留されたドレン水が、ドレンポンプにより汲み上げられて外部に排出されるようになっている（例えば、特許文献１参照）。
【特許文献１】特開２００４−９３００４号公報
【発明の開示】
【発明が解決しようとする課題】
【０００３】
上記従来の構成では、ドレンポンプの運転音が、空気調和装置の吸込口や吹出口等を介して、被空調室に漏れることがある。特に、圧縮機やファンが停止している場合には、ドレンポンプの運転音が際立って聞こえることがあった。
【０００４】
そこで本発明は、天井埋込型空気調和装置において、被空調室に漏れるドレンポンプの運転音を低減することを目的とする。
【課題を解決するための手段】
【０００５】
上記課題を解決するため、本発明は、化粧パネルに形成された吸込口と吹出口とが被空調室に露出する天井埋込型空気調和装置において、天井に埋め込み設置される前記本体ケースに、前記熱交換器と、この熱交換器から滴下するドレン水を受ける前記ドレンパンとを備え、前記ドレンパンのドレン水を汲み上げる前記ドレンポンプを、前記本体ケースの外側に配設したことを特徴とする天井埋込型空気調和装置を提供する。
この構成によれば、ドレンポンプが本体ケースの外側に配置されていることで、ドレンポンプの運転音が、主に天井裏で吸収され、本体ケース２内に伝わりにくく、吸込口や吹出口等を介して被空調室へ漏れにくい。これにより、例えば、ドレンポンプが本体ケースの内側に配置されている場合と比較して、被空調室に漏れるドレンポンプの運転音が大幅に低減される。
【０００６】
上記構成において、前記ドレンパンが、前記熱交換器の下方に位置する前記水受け部と、この水受け部に連通して前記本体ケースの外側に突出した前記突出部とを有し、この突出部には前記水受け部に滴下したドレン水が貯留される前記貯留部が形成され、前記ドレンポンプの吸込口が、前記貯留部に貯留されたドレン水を汲み上げ可能な位置に配設された構成としても良い。
この場合、ドレンパンが、水受け部と、水受け部に連通して本体ケースの外側に突出した突出部とを有しており、この突出部に形成されたドレン水の貯留部にドレンポンプの吸込口が配置されるので、シンプルな構造で、本体ケースの外側に配置されたドレンポンプを使用してドレン水を汲み上げることができる。
【０００７】
上記構成において、前記突出部と前記ドレンポンプとが、前記本体ケースの側面に取り付けられた前記サブケースに収容された構成としても良い。
この場合、本体ケースの外側にある突出部とドレンポンプとが、本体ケースの側面に取り付けられたサブケースにより完全に収容されるため、塵埃等が外部からドレンパンおよびドレンポンプに侵入することを防止できる。
【０００８】
上記構成において、前記突出部と前記ドレンパンとが一体に成形される構成としても良い。
この場合、突出部がドレンパンと一体に成形されることで、突出部とドレンパンとの接合部が無いため水漏れを防止でき、また、組立コストも削減される。
【発明の効果】
【０００９】
本発明によれば、化粧パネルに形成された吸込口と吹出口とが被空調室に露出する天井埋込型空気調和装置において、被空調室に漏れるドレンポンプの運転音を低減できる。
【発明を実施するための最良の形態】
【００１０】
以下、図面を参照して本発明の実施の形態を説明する。
図１に、本発明の天井埋込型空気調和装置を適用した実施の形態として、空気調和装置本体１の縦断面視図を示す。図１に示すように、空気調和装置本体１は、板金製で箱型の本体ケース２に、各部が収容されて構成される。この本体ケース２は、吊りボルト３により天井から吊り下げられて天井裏に埋めこまれ、本体ケース２の下端は被空調室の天井とほぼ同じ高さにある。
【００１１】
本体ケース２には、被空調室の空気を吸い込むファン７とファン７を駆動するモータ５とが配設され、これらファン７とモータ５により送風機９が構成される。また、本体ケース２には、送風機９を取り囲むように、多角形状に曲げられた熱交換器１１が配置され、熱交換器１１の下方には、ファン７の吸込空気を整流するベルマウス１４が取り付けられている。そして、本体ケース２の下面には、化粧パネル２１が被空調室の天井板とほぼ面一に取り付けられ、この化粧パネル２１には、被空調室の空気を吸い込む吸込口２２と、空調された空気を被空調室に吹き出す吹出口２３とが形成され、吹出口２３の内側には、空気を浄化するフィルタ２５が装着されている。
空気調和装置本体１は、被空調室の空気を送風機９により吸込口２２から吸い込み、フィルタ２５を通って浄化された被空調室の空気を、熱交換器１１で温度調整した後、吹出口２３から被空調室に送出する。
【００１２】
熱交換器１１には、図示しない室外ユニットから冷媒が供給され、この冷媒の冷熱又は熱によりファン７が吸い込んだ空気を冷却又は加温する。
図２は、空気調和装置本体１を被空調室の側から見た平面図であり、特に熱交換器１１を覆う部品を取り外した状態を示す。図３は熱交換器１１の斜視図である。
図２および図３に示すように、熱交換器１１は、フィン・アンド・チューブ型の熱交換器を図３中に実線矢印で示す空気の流れ方向に対して二重に重ねて構成され、五角形状に曲げて成形されている。熱交換器１１の各隅部Ａ、Ｂ、Ｃ、Ｄは、曲げローラ治具（図示略）にセットされた半径がＲの同一のローラで曲げ成形され、隅部Ｅは、管板１２を介して連結されている。このように、五角形状にして一部を張り出させることで、張り出させない場合と比較して熱交換器１１の面積を大きくできるため、限られた空間の中で伝熱面積を増大させることができる。
【００１３】
熱交換器１１を構成する５つの辺のうちの３つの辺１１Ａ、１１Ｂ、１１Ｃは、本体ケース２の３つの辺２Ａ、２Ｂ、２Ｃに対し略平行であり、残りの２つの辺１１Ｄ、１１Ｅは、本体ケース２の辺２Ｄ側に向けて斜めに張り出している。そして、２つの辺１１Ｄ、１１Ｅにより形成される上記の張り出した形状に合わせて、電装箱４５が取り付けられている。
また、辺１１Ｄ、１１Ｅが斜めに張り出しているため、これら辺１１Ｄ、１１Ｅの近傍では本体ケース２の内側に、比較的大きな空間が形成される。そして、辺１１Ｅの近傍の空間には配管類２７が配置されている。一方、辺１１Ｄの近傍の空間２８には特に何も配置されていない。
【００１４】
熱交換器１１の下方には、熱交換器１１から滴下するドレン水を受けるドレンパン５０が配置され、ドレン水がドレンパン５０に貯留される。
図４は図２に示す空気調和装置本体１を、被空調室の側から見た図である。この図４には、ドレンパン５０、ベルマウス１４および電装箱４５を装着し、ドレンポンプ３２等を収容しているドレンポンプキット３０を取り外した状態を示す。図５はドレンポンプ３２の側から見たドレンパン５０の平面図である。
以下、図１から図５の各図に基づいてドレンパン５０および周辺の構成について説明する。
【００１５】
ドレンパン５０の４辺には、空気を吹き出すための略矩形の逃げ形状が形成されており、図４に２点鎖線で示される本体ケース２との組み合わせにより、４箇所の内部吹出口４１が形成される。内部吹出口４１は、化粧パネル２１の吹出口２３に連通している。
ドレンパン５０は、ベルマウス１４が取り付けされる中央に略円形の吸込孔５１、熱交換器１１の形状に合わせて配設された略五角形の水受け部５４ａ〜５４ｅ、および本体ケース２の側面方向の外側に突出する大きさを有した略矩形の突出部５０ａを備えている。
【００１６】
本体ケース２の一つの側面には、図１に示すように、突出部５０ａに対応する形状の開口が設けられており、ドレンパン５０が空気調和装置本体１に取り付けられた状態では、突出部５０ａがこの開口から本体ケース２の外側に突出している。ここで、この開口は、突出部５０ａを通すのに必要最小限のサイズであれば良く、例えば、突出部５０ａが矩形の断面であれば、これに合わせて開口も矩形に形成される。また、開口に透水性を有し吸音効果のあるスポンジ等を配置すれば、開口を介して漏れるドレンポンプ３２の運転音をさらに低減できる。
突出部５０ａには、凹形状をしたドレン水の貯留部５０ｂが形成されており、ドレン水がこの貯留部５０ｂに貯留される。
【００１７】
水受け部５４ａ〜５４ｅには、略五角形で略環状に繋がった溝が形成されていて、この溝がドレン水の水路として機能し、この水路は貯留部５０ｂに連通している。水受け部５４ａ〜５４ｅの水路の高さは、水受け部５４ａと水受け部５４ｂの交点近傍が最も高く、貯留部５０ｂに向かうに従い低くなっていて、図１に破線で示すように傾斜が付けられている。これにより、熱交換器１１で発生したドレン水は、水受け部５４ａ〜５４ｅに滴下したあとに、水受け部５４ａ〜５４ｅの斜面に沿って貯留部５０ｂに流入し貯留される。
【００１８】
本体ケース２の外側には、ドレンポンプキット３０が取り付けられている。ドレンポンプキット３０は、ドレンポンプ３２、ドレンポンプ３２を駆動するモータ３３、ドレン管３４、ドレンホース接続具３５、および、これらを収容する略箱型のサブケース３１を備えており、サブケース３１と本体ケース２とが当接した状態で、図示しないボルトにより本体ケース２に固定される。
【００１９】
サブケース３１の内側に取り付けられたドレンポンプ３２は、貯留部５０ｂの上方に配置され、ドレンポンプ３２の吸込口３２ａは、ドレンパン５０に貯留されたドレン水を排水できるように、貯留部５０ｂの中に配置される。ドレンポンプ３２の吐出口には、ドレン管３４の一端が接続され、ドレン管３４の他端はサブケース３１の上部側面に開けられた開口を通って外側に出ている。サブケース３１の外側に出されたドレン管３４には、ドレンホース接続具３５が接続され、ドレンホース接続具３５には現地で配管されるドレンホース３６が接続されている。
【００２０】
ドレンポンプ３２が運転されると、貯留部５０ｂのドレン水はドレンホース３６を通って外部に排水される。また、ドレンポンプキット３０のサブケース３１が本体ケース２に取り付けられ、突出部５０ａはサブケース３１によって完全に収容されるため、塵埃等が突出部５０ａを介してドレンパン５０に侵入することを防止できる。
【００２１】
ドレンポンプキット３０および突出部５０ａが配設される位置は、配管類２７の近傍にある配管接続部の近くや、配管接続部がある本体ケース２の側面と同一面に設定されることが望ましい。この構成によれば、メンテナンス等を行う場合に、狭い天井裏で作業者が移動する必要性が減り、メンテナンス性が向上する。
また、ドレンポンプキット３０と空気調和装置本体１とのパイプによる接続を、現地で据付工事者が実施する方式と比べ、本実施の形態では、この接続を吸込口３２ａが貯留部５０ｂの中に配置される方式とし、工場での組立て時に完了しているため、据付工事者の手間が減り、同時に据付工事者のスキルに依存せずに確実な接続ができる。
【００２２】
貯留部５０ｂにはドレン水が貯留されるため、埃や汚れが堆積する可能性があるが、貯留部５０ｂが本体ケース２の外側に突出しているので、化粧パネル２１やドレンパン５０等を取り外すことなく、ドレンポンプキット３０のサブケース３１を取り外すのみで貯留部５０ｂの清掃を行うことができる。
【００２３】
また、ドレンポンプ３２は、これまで空気調和装置本体１の内部に収容されていたものを、空気調和装置本体１の外側に移動させて使用できるので、新たなドレンポンプの設計や生産設備が必要ないため、対応が容易である。
【００２４】
また、ドレンポンプ３２が本体ケース２の外側に配置されているため、例えば、図２に示した本体ケース２の内部の空間２８にドレンポンプ３２が配置された場合と比較して、熱交換器１１を通過後の温度調整された空気の通風抵抗を低減できるため、被空調室への送風量のバランスが良くなる。
【００２５】
以上説明したように、本発明を適用した実施の形態によれば、ドレンポンプ３２が本体ケース２の外側に配置されていることで、ドレンポンプ３２の運転音が、主に天井裏で吸収され、本体ケース２内に伝わりにくい。これにより、ドレンポンプ３２の運転音が、吸込口２２や吹出口２３等を介して被空調室へ漏れにくいため、被空調室に漏れるドレンポンプ３２の運転音が低減される。
【００２６】
また、ドレンパン５０が、水受け部５４ａ〜５４ｅに連通するとともに本体ケース２の外側に突出した突出部５０ａを有し、吸込口３２ａが、貯留部５０ｂに貯留されたドレン水を汲み上げ可能な位置に配設されているため、シンプルな構造により、本体ケース２の外側に配置されたドレンポンプ３２を使用してドレン水を汲み上げることができる。
【００２７】
また、本体ケース２の外側にある突出部５０ａとドレンポンプ３２とが、本体ケース２の側面に取り付けられたサブケース３１により完全に収容されるため、塵埃等が外部からドレンパン５０およびドレンポンプ３２に侵入することを防止できる。
【００２８】
また、突出部５０ａとドレンパン５０とが一体に成形されているため、接合部からの水漏れを防止でき、また、組立コストも削減される。
【００２９】
なお、上記実施の形態は本発明を適用した一態様であり、本発明は上記実施の形態に限定されるものではないのは勿論である。例えば、上記実施の形態では、略五角形の熱交換器１１を備える空気調和装置本体１を例に挙げて説明したが、熱交換器１１の形状は特に限定されるものではなく四角形であっても円形であっても良い。また、サブケース３１には、軟質ウレタンフォーム等の吸音材を配置し、被空調室に漏れるドレンポンプ３２の運転音をさらに低減する構成としても良い。
ドレンパン５０は、軽量かつ製造が容易な樹脂部材に突出部５０ａが一体成形されたものであり、さらに断熱部材としての発砲スチロールがこの樹脂部材と一体になるように構成されているが、突出部５０ａを別体で製作し取り付ける構成としても良く、その他の細部構成についても任意に変更可能であることは勿論である。
【図面の簡単な説明】
【００３０】
【図１】本発明を適用した実施の形態に係る空気調和装置本体の縦断面視図である。
【図２】実施の形態に係る空気調和装置を熱交換器を覆う部品を取り外した状態で被空調室の側から見た平面図ある。
【図３】実施の形態に係る空気調和装置の熱交換器の斜視図である。
【図４】図４は図２に示す空気調和装置本体を、ドレンパン等を取り付けた状態で被空調室の側から見た平面図である。
【図５】ドレンポンプの側から見たドレンパンの平面図である。
【符号の説明】
【００３１】
１  空気調和装置本体
２  本体ケース
５  モータ
７  ファン
９  送風機
１１  熱交換器
１４  ベルマウス
２１  化粧パネル
２２  吸込口
２３  吹出口
３０  ドレンポンプキット
３１  サブケース
３２  ドレンポンプ
３３  モータ
３４  ドレン管
３５  ドレンホース接続具
３６  ドレンホース
５０  ドレンパン
５０ａ  突出部
５０ｂ  貯留部
５４ａ〜５４ｅ  水受け部
【図１】
2009014257.tif 000003
【図２】
2009014257.tif 000004
【図３】
2009014257.tif 000005
【図４】
2009014257.tif 000006
【図５】
2009014257.tif 000007